【手続補正書】
【提出日】平成30年2月13日(2018.2.13)
【手続補正１】
【補正対象書類名】特許請求の範囲
【補正対象項目名】全文
【補正方法】変更
【補正の内容】
【特許請求の範囲】
【請求項１】
ジョブに従って印刷された印刷済の用紙を受け取って保持する保持手段と、
前記保持手段に保持された前記用紙を受け取って当該用紙に折り処理を行う折り処理手段と、
前記ジョブで指示された印刷済の用紙の１部当たりの枚数を取得する取得手段と、
前記取得手段により取得された前記１部当たりの枚数が１枚である場合は、前記保持手段に保持された用紙の枚数が所定枚数に到達するか、或いは前記保持手段に前記ジョブの最後の印刷済の用紙が保持されると、前記折り処理手段が、前記保持手段に保持されている用紙に対して折り処理を実行するように制御し、
前記取得手段により取得された前記１部当たりの枚数が複数である場合は、前記保持手段に保持された用紙の枚数が前記所定枚数に到達するか、或いは前記保持手段に部の最後の印刷済の用紙が保持されると、前記折り処理手段が、前記保持手段に保持されている用紙に対して折り処理を実行するように制御する制御手段と、
を有することを特徴とする折り処理制御装置。
【請求項２】
前記折り処理は、中折り処理であることを特徴とする請求項１に記載の折り処理制御装置。
【請求項３】
前記中折り処理が、製本を伴う中折り処理か、製本を伴わない中折り処理かを判別する判別手段を更に有し、
前記判別手段が前記中折り処理が前記製本を伴う中折り処理であると判別すると、前記制御手段は、前記保持手段に保持された用紙の枚数が前記中折り処理を実行可能な最大枚数に到達するか、或いは前記保持手段に部の最後の印刷済の用紙が保持されると、前記折り処理手段が、前記保持手段に保持されている用紙に対して前記中折り処理を実行するように制御することを特徴とする請求項２に記載の折り処理制御装置。
【請求項４】
前記所定枚数は、前記折り処理手段が前記折り処理を実行可能な最大枚数であることを特徴とする請求項１乃至３のいずれか１項に記載の折り処理制御装置。
【請求項５】
前記取得手段は、前記ジョブで指定された原稿の枚数、印刷の部数、印刷レイアウト、両面印刷の有無に基づいて、印刷済の用紙の１部当たりの枚数を取得することを特徴とする請求項１乃至４のいずれか１項に記載の折り処理制御装置。
【請求項６】
前記保持手段は、印刷装置で前記ジョブに従って印刷され、当該印刷装置から排紙された用紙を受け取って保持することを特徴とする請求項１乃至５のいずれか１項に記載の折り処理制御装置。
【請求項７】
印刷装置と、当該印刷装置で印刷された用紙を受け取って折り処理を行う折り処理制御装置とを有するシート処理システムであって、
前記印刷装置は、
ジョブに従って印刷した用紙を排紙して前記折り処理制御装置に搬送する搬送手段を有し、
前記折り処理制御装置は、
前記搬送手段により搬送された印刷済の用紙を受け取って保持する保持手段と、
前記保持手段に保持された前記用紙を受け取って当該用紙に折り処理を行う折り処理手段と、
前記ジョブで指示された印刷済の用紙の１部当たりの枚数を取得する取得手段と、
前記取得手段により取得された前記１部当たりの枚数が１枚である場合は、前記保持手段に保持された用紙の枚数が所定枚数に到達するか、或いは前記保持手段に前記ジョブの最後の印刷済の用紙が保持されると、前記折り処理手段が、前記保持手段に保持されている用紙に対して折り処理を実行するように制御し、
前記取得手段により取得された前記１部当たりの枚数が複数である場合は、前記保持手段に保持された用紙の枚数が前記所定枚数に到達するか、或いは前記保持手段に部の最後の印刷済の用紙が保持されると、前記折り処理手段が、前記保持手段に保持されている用紙に対して前記折り処理を実行するように制御する制御手段と、
を有することを特徴とするシート処理システム。
【請求項８】
前記取得手段は、前記ジョブで指定された原稿の枚数、印刷の部数、印刷レイアウト、両面印刷の有無の情報を前記印刷装置から取得し、前記情報に基づいて印刷済の用紙の１部当たりの枚数を取得することを特徴とする請求項７に記載のシート処理システム。
【請求項９】
折り処理制御装置を制御する折り処理制御装置の制御方法であって、
保持手段が、ジョブに従って印刷された印刷済の用紙を受け取って保持する保持工程と、
折り処理手段が、前記保持工程で保持された前記用紙を受け取って当該用紙に折り処理を行う折り処理工程と、
取得手段が、前記ジョブで指示された印刷済の用紙の１部当たりの枚数を取得する取得工程と、
制御手段が、前記取得工程で取得された前記１部当たりの枚数が１枚である場合は、前記保持工程で保持された用紙の枚数が所定枚数に到達するか、或いは前記保持工程で前記ジョブの最後の印刷済の用紙が保持されると、前記折り処理工程が、前記保持工程で保持されている用紙に対して前記折り処理を実行するように制御し、
前記取得工程で取得された前記１部当たりの枚数が複数である場合は、前記保持工程で保持された用紙の枚数が前記所定枚数に到達するか、或いは前記保持工程で部の最後の印刷済の用紙が保持されると、前記折り処理工程が、前記保持工程で保持されている用紙に対して前記折り処理を実行するように制御する制御工程と、
を有することを特徴とする折り処理制御装置の制御方法。
【請求項１０】
コンピュータを、請求項１，３，５，６のいずれか１項に記載の折り処理制御装置の各手段として機能させるためのプログラム。
【手続補正２】
【補正対象書類名】明細書
【補正対象項目名】発明の名称
【補正方法】変更
【補正の内容】
【発明の名称】折り処理制御装置及びその制御方法、シート処理システム、及びプログラム
【手続補正３】
【補正対象書類名】明細書
【補正対象項目名】０００１
【補正方法】変更
【補正の内容】
【０００１】
本発明は、折り処理制御装置及びその制御方法、シート処理システム、及びプログラムに関する。
【手続補正４】
【補正対象書類名】明細書
【補正対象項目名】０００６
【補正方法】変更
【補正の内容】
【０００６】
本発明の特徴は、製本用に面付けされている用紙、或いは、面付けされていない用紙に対する折り処理を効率よく実行できる技術を提供することにある。
【手続補正５】
【補正対象書類名】明細書
【補正対象項目名】０００７
【補正方法】変更
【補正の内容】
【０００７】
上記目的を達成するために本発明の一態様に係る折り処理制御装置は以下のような構成を備える。即ち、
ジョブに従って印刷された印刷済の用紙を受け取って保持する保持手段と、
前記保持手段に保持された前記用紙を受け取って当該用紙に折り処理を行う折り処理手段と、
前記ジョブで指示された印刷済の用紙の１部当たりの枚数を取得する取得手段と、
前記取得手段により取得された前記１部当たりの枚数が１枚である場合は、前記保持手段に保持された用紙の枚数が所定枚数に到達するか、或いは前記保持手段に前記ジョブの最後の印刷済の用紙が保持されると、前記折り処理手段が、前記保持手段に保持されている用紙に対して折り処理を実行するように制御し、
前記取得手段により取得された前記１部当たりの枚数が複数である場合は、前記保持手段に保持された用紙の枚数が前記所定枚数に到達するか、或いは前記保持手段に部の最後の印刷済の用紙が保持されると、前記折り処理手段が、前記保持手段に保持されている用紙に対して折り処理を実行するように制御する制御手段と、を有することを特徴とする。
【手続補正６】
【補正対象書類名】明細書
【補正対象項目名】０００８
【補正方法】変更
【補正の内容】
【０００８】
本発明によれば、製本用に面付けされている用紙、或いは、面付けされていない用紙に対する折り処理を効率よく実行できるという効果がある。
【手続補正７】
【補正対象書類名】明細書
【補正対象項目名】００４７
【補正方法】変更
【補正の内容】
【００４７】
図８のジョブの設定は４枚の原稿８０１を使用してコピー部数は３、仕上げは「非製本中折り」である。従って、図４のＳ４０３から図６のＳ６０１に進む。そして、１部目の３枚目の用紙に印刷した後、Ｓ６０４でＣＰＵ１１１は、折り能力の最大枚数に達したと判定してＳ６０５に進み、製本中折りを実行して仕上げ束８２１を排紙トレイ３２１に排出する。そしてＳ６０６に進む。ここでは後続のページがあるためＳ６０２に進んで、１部目の４枚の用紙を印刷して仕上げ装置３３０に排紙する。このときはＳ６０３でＣＰＵ１１１は、１部目の切れ目と判定してＳ６０５に進み、仕上げ装置３３０により非製本中折りを実行させて仕上げ８２２を排紙トレイ３２１に排出する。以下、２部目、３部目においても同様の処理を行って、図８（Ｃ）に示すような折り処理を実行する。
【手続補正８】
【補正対象書類名】明細書
【補正対象項目名】００５５
【補正方法】変更
【補正の内容】
【００５５】
図１０において、図１０（Ａ）の４枚の原稿１００１を２ｉｎ１の両面で３部印刷した結果を１０１１〜１０１３で示す。更に図１０（Ｂ）は、これら用紙を「製本中折り」仕上げした結果を示している。